(57)【要約】【課題】  ファイルのつなぎ目部分での再生時の音声再生不連続を緩和する。【解決手段】  記録を開始して記録ファイルサイズが記録制限に到達する時点Ｔｅより時間Ｔｗだけ前の段階で、音声レベルの計測期間に入る。計測を開始して、音声レベルが所定レベルを下回った時点Ｔｂ１から所定期間Ｔｏｕｔの音声フェードアウトを実行して、ファイルＦ１をクローズし、ファイルＦ２を新規作成する。後続のファイルＦ２に対して所定期間Ｔｉｎの音声フェードインを実行する。画像は、２つのファイルＦ１，Ｆ２で継続して記録される。【選択図】  図３
2008099125.tif 000002
【特許請求の範囲】
【請求項１】
画像及び音声を含む動画を入力する動画入力手段と、
当該動画入力手段により入力される動画データをファイル化し、記録媒体に記録する記録手段と、
当該動画入力手段により入力される動画の音声レベルを検出する音声レベル検出手段と、
当該記録手段による当該記録媒体へのファイル記録を制御する記録制御手段とを具備し、
当該記録制御手段は、データ記録中のファイルのサイズが当該記録媒体の記録制限に基づくファイルサイズより所定量だけ少ない範囲内で、当該音声レベル検出手段で検出される、所定レベル以下の音声レベルに従い、現在のファイルを所定箇所でクローズし、新規ファイルをオープンして記録を継続するように当該記録手段を制御することを特徴とする動画記録装置。
【請求項２】
当該記録手段は、当該現在のファイルのクローズ前に記録すべき音声をフェードアウトし、当該新規ファイルで記録すべき音声をフェードインすることを特徴とする請求項１に記載の動画記録装置。
【請求項３】
当該記録媒体の記録制限に基づくファイルサイズが、当該記録媒体のファイルシステム上の最大ファイルサイズであることを特徴とする請求項１に記載の動画記録装置。
【請求項４】
当該記録媒体の記録制限に基づくファイルサイズが、記録層の切替えによる制限されるファイルサイズであることを特徴とする請求項１に記載の動画記録装置。
【請求項５】
当該記録制御手段は、当該現在のファイルと当該新規ファイルとの関連情報を、付加情報及び管理ファイルの何れかに記録することを特徴とする請求項１から５の何れか１項に記載の動画記録装置。
【請求項６】
請求項１乃至６の何れか１項に記載の記録装置と、
記録媒体に記録される動画の代表画像をファイル単位で一覧表示する一覧表示手段と、
連続する動画を格納する複数のファイルの各代表画像に、連続する動画であることを示す所定の印を付加表示する付加表示手段
とを具備することを特徴とする動画記録再生装置。
【請求項７】
請求項１乃至６の何れか１項に記載の動画記録装置と、
記録媒体に記録される動画の代表画像を動画単位で一覧表示する一覧表示手段と、
連続して複数のファイルに格納される動画の代表画像に対し、その旨を示す所定の印を付加表示する付加表示手段
とを具備することを特徴とする動画記録再生装置。
【発明の詳細な説明】
【技術分野】
【０００１】
本発明は、動画像を記録媒体に記録する動画記録装置及び動画記録再生装置に関する。
【背景技術】
【０００２】
電子カメラ及びカメラ一体型ビデオレコーダ等の従来の撮像装置で動画を撮影する場合、その動画は一つの動画ファイルに収容される。具体的には、動画データを記録開始すると、記録規格に準じたファイル名で新規ファイルが生成され、画像データがそのファイルに順次書き込まれる。ユーザによる動画記録停止の指示に従い、記録が終了し、ファイルはクローズされる。例えば、特許文献１を参照。
【０００３】
特許文献２には、動画撮影において動画像を所定時間ごと又は所定データ量ごとに分割したファイルで記録することが、記載されている。
【０００４】
特許文献３には、動画撮影におけるシーンの切り替わりを自動検出し、それを基に、動画像をシーン毎に異なるファイルに分割記録することが記載されている。シーンの切り替わりは、例えば、明るさの変化、光源の変化、被写体距離の変化、指定測距枠の位置の変化、複数の測距枠における合焦測距枠の変化、ズーム倍率の変化、及び、撮像装置の向きの変化の何れか１つまたは複数で判断される。
【特許文献１】特開平８−２９４０８０号公報
【特許文献２】特開平１１−３４１４３４号公報
【特許文献３】特開２００６−９３９５６号公報
【発明の開示】
【発明が解決しようとする課題】
【０００５】
動画撮影は、短いカット撮影や、長い行事の長時間撮影等、記録シーンによってまちまちである。長時間撮影の場合、長いシーンが１つのファイルになっていると、撮影後に編集作業をやりづらいという問題がある。
【０００６】
特許文献２に記載の技術のように、一定時間ごと又は所定データ量ごとにファイルを分割すると、見たいシーンを選び出すのが難しくなり、編集する際にも複数のファイルを同時に参照する必要が生じたりする。これに対し、特許文献３に記載の技術を使って、シーンの切り替わり点でファイルを分割すると、見たいシーンを選び出すのが容易になり、シーン内での編集も容易になる。
【０００７】
しかし、ファイル長には、他に、ファイルシステム上の制限や記録媒体上の制限（例えば、ディスク記録媒体の層切替えによる制限）等の物理的制限がある。同じシーンが長時間継続する場合、特許文献３に記載の技術を使用する場合でも、ファイル長の物理的制限を超えるときには、記録を停止するなり、ファイルを分割するなりせざるを得ない。
【０００８】
特許文献２に記載されるような一定時間毎又は一定データ量のファイル分割、若しくは、物理的制限に伴うファイル分割が行われると、例えば、再生時にファイル分割部分で再生品質が劣化し、特に再生音声が途絶えたりする。これは例えば、ＭＰＥＧ規格に従うデータストリームを機械的に複数のファイルに分割した場合に起こりがちである。
【０００９】
また、物理的制限に伴うファイル分割は、記録機器や記録媒体の物理的制約に基づくものであるので、ユーザが意識していない場合が多く、これをユーザに周知しないと、低品質の原因を誤解させかねない。
【００１０】
本発明は、このような品質劣化を防止し、追加的に、ファイル分割の実施をユーザに周知させる動画記録装置及び動画記録再生装置を提示することを目的とする。
【課題を解決するための手段】
【００１１】
本発明に係る動画記録装置は、画像及び音声を含む動画を入力する動画入力手段と、当該動画入力手段により入力される動画データをファイル化し、記録媒体に記録する記録手段と、当該動画入力手段により入力される動画の音声レベルを検出する音声レベル検出手段と、当該記録手段による当該記録媒体へのファイル記録を制御する記録制御手段とを具備し、当該記録制御手段は、データ記録中のファイルのサイズが当該記録媒体の記録制限に基づくファイルサイズより所定量だけ少ない範囲内で、当該音声レベル検出手段で検出される、所定レベル以下の音声レベルに従い、現在のファイルを所定箇所でクローズし、新規ファイルをオープンして記録を継続するように当該記録手段を制御することを特徴とする。
【００１２】
本発明に係る動画記録再生装置は、上述の動画記録装置と、記録媒体に記録される動画の代表画像をファイル単位で一覧表示する一覧表示手段と、連続する動画を格納する複数のファイルの各代表画像に、連続する動画であることを示す所定の印を付加表示する付加表示手段とを具備することを特徴とする。
【００１３】
本発明に係る動画記録再生装置は、上述の動画記録装置と、記録媒体に記録される動画の代表画像を動画単位で一覧表示する一覧表示手段と、連続して複数のファイルに格納される動画の代表画像に対し、その旨を示す所定の印を付加表示する付加表示手段とを具備することを特徴とする。
【発明の効果】
【００１４】
本発明の装置によれば、ファイルのつなぎ目部分での再生時の音声再生不連続を緩和できる。
【発明を実施するための最良の形態】
【００１５】
以下、図面を参照して、本発明の実施例を詳細に説明する。
【実施例１】
【００１６】
図１は、デジタルカメラ又はデジタルビデオカメラに適用した本発明の一実施例の概略構成ブロック図を示す。この実施例は、携帯電話機に組み込まれたカメラにも適用されうる。
【００１７】
図１に示す撮像装置１０の基本的な記録動作を説明する。撮影レンズ１２は、被写体の光学像を撮像素子１４に入射する。撮像素子１４は、撮像面上の光学像を電気画像信号に変換する。Ａ／Ｄ変換器１６は、撮像素子１４からのアナログ画像信号をデジタル信号に変換し、輝度Ｙ／色差Ｃｒ，Ｃｂ、又はＲＧＢ形式の画像データをＣＰＵ１８に供給する。撮像素子１４は、ＣＰＵ１８からのタイミング信号に従って、画像信号を出力する。
【００１８】
撮影レンズ１２は、光量を制御する絞りと、フォーカスを変更するフォーカシングレンズと、ズームを変更するズーミングレンズを具備し、ＣＰＵ１８は、個別のモータ２２により絞り、フォーカシングレンズ及びズーミングレンズを駆動して、撮像素子１４の入射光量、撮影レンズ１２のフォーカスとズームを制御する。撮影レンズ１２が、加速度センサと防振アクチュエータなどからなる防振機能を備えている場合は、加速度センサと防振アクチュエータの位置センサの検出出力がＣＰＵ１８に入力され、ＣＰＵ１８は、防振制御信号を防振アクチュエータに供給する。
【００１９】
周囲の音声は、マイク２４より電気音声信号に変換され、マイクアンプ２６で増幅される。Ａ／Ｄ変換器２８はマイクアンプ２６からのアナログ音声信号をデジタル音声信号に変換して、ＣＰＵ１８に供給する。
【００２０】
ＣＰＵ１８は、Ａ／Ｄ変換器１６からの画像データに対し、色分離、白バランス、ガンマ補正及びアパーチャ補正などの基本処理と、操作キー３０で設定された、画像サイズ、画質調整及び位置調整などの付加処理を施す。ＣＰＵ１８は、設定された圧縮方法と圧縮パラメータに従い処理済みの画像データをＭＰＥＧ２で圧縮符号化し、処理済みの画像データを表示駆動装置３６に供給する。表示駆動装置３６は、ＣＰＵ１８からの画像データに従い、液晶表示装置等からなる表示装置３８を駆動する。これにより、利用者は、撮像素子１４上の画像を視覚的に確認できる。
【００２１】
ＣＰＵ１８はまた、Ａ／Ｄ変換器２８からの音声データに対し、ＡＧＣ（オートゲインコントロール）によるレベル制御、及び風切り音防止処理などの処理と、操作キー３０で設定された音質調整などの付加処理を施す。そして、設定された圧縮方法と圧縮パラメータに従い、音声データを圧縮符号化する。
【００２２】
ＣＰＵ１８は、このように圧縮した画像データ及び音声データを記録再生制御装置３２に出力し、記録再生制御装置３２は、これらの圧縮データを記録媒体３４に記録する。
【００２３】
本実施例では、ＣＰＵ１８が画像と音声の圧縮符号化器として機能し、画像と音声の圧縮方式としてＭＰＥＧ規格を採用する。圧縮符号化で得られる圧縮画像データ及び圧縮音声データは、制御データと共に、ＭＰＥＧ規格で定められるプログラムストリームとしてデータストリームを形成する。図２は、データストリームの構成例を示す。図２のＲは管理データのパックを示し、Ｖは圧縮画像データのパックを示し、Ａは圧縮音声データのパックを示す。各パックを合成して得られるビットストリームが記録媒体３４に記録される。
【００２４】
記録媒体３４は、半導体メモリカード、光ディスク、光磁気ディスク、又はハードディスク装置等からなる。動画記録規格には、ＳＤ−Ｖｉｄｅｏ、ＤＶＤ−ＶＲ及びＤＶＤ−Ｖｉｄｅｏ規格などがあるが、動画はその何れかで記録される。静止画は、ＤＣＦ規格などの静止画規格で記録される。記録媒体３４のファイル管理には、扱えるファイル長（サイズ）が４ＧＢ未満であるファイルシステムを利用する。但し、機器互換を考慮したときには、ファイルサイズが２ＧＢ未満に制限される場合がありうる。
【００２５】
再生時には、ＣＰＵ１８は、ユーザにより指定された動画又は静止画の圧縮データを、記録再生制御装置３２により記録媒体３４から読み出し、伸長する。伸長により復元された画像データは、表示駆動装置に出力される。表示駆動装置３６は、ＣＰＵ１８からの画像データに従い表示装置３８を駆動する。また、伸長により復元された音声信号は、スピーカ駆動装置４０に出力される。スピーカ駆動装置４０は、ＣＰＵ１８からの音声信号に従いスピーカ４２を駆動する。これにより、利用者は、再生画像と音声を視聴できる。
【００２６】
メモリ２０には、ＣＰＵ１８の動作に必要なプログラム、固定データ及び一時データが格納される。電源４４は、撮像装置１０の各装置ブロックに必要な電力を個別に供給する。
【００２７】
次に、記録モードでの、本実施例の特徴的な動作を詳細に説明する。図３は、本実施例により生成される画像音声データのファイルサイズを説明する模式図である。図３のＡは、ファイルシステム上のファイル長の制限を示す。Ｂは、このファイル制限の下で、本実施例により、記録する画像音声データを２つのファイルＦ１，Ｆ２に分割した状態を示す。
【００２８】
記録を開始して記録ファイルサイズが記録制限（２ＧＢ又は４ＧＢ）に到達する時点Ｔｅより時間Ｔｗだけ前の段階で、音声レベルの計測期間に入る。計測を開始して、音声レベルが所定レベルを下回った時点Ｔｂ１から所定期間Ｔｏｕｔの音声フェードアウトを実行して、ファイルＦ１をクローズし、ファイルＦ２を新規作成する。後続のファイルＦ２に対して所定期間Ｔｉｎの音声フェードインを実行する。画像は、２つのファイルＦ１，Ｆ２で継続して記録される。
【００２９】
フェードアウトを開始する音声閾値は、操作者が任意に設定可能である。音声フェードアウト期間Ｔｏｕｔと音声フェードイン期間Ｔｉｎもまた、操作者が任意に設定可能である。音声閾値、現在の音声レベル及び計測期間Ｔｗをパラメータにして、音声フェードアウト期間Ｔｏｕｔと音声フェードイン期間Ｔｉｎを決定しても良い。
【００３０】
記録制限の終端Ｔｅよりフェードアウト時間Ｔｏｕｔ前になったら、音声レベルに関わらず、フェードアウトに入っても良い。また、Ｔｗ以上分の圧縮データをメモリ２０に一時保存し、その一時保存した圧縮データ内で音声レベルの最小値を検出し、検出した音声レベル最小値以降の音声をフェードアウトして、圧縮データを記録するようにしてもよい。これは、フェードアウトに入る音声閾値を動的に決定することに相当する。フェードアウト期間Ｔｏｕｔとフェードイン期間Ｔｉｎの一方又は両方をゼロに設定しても良い。
【００３１】
期間Ｔｗ，Ｔｏｕｔ，Ｔｉｎを、時間軸を基準に説明したが、データ量を基準に設定しても良い。
【００３２】
図４は、音声レベル検出の模式図を示す。縦軸が音声レベルを示し、横軸が時間を示す。計測期間Ｔｗにおいて、音声レベルが時間的に変動している中、計測期間Ｔｗ内で最初に閾値Ｖに到達した時点Ｔｂ１からフェードアウトを開始する方法と、計測期間Ｔｗ内で閾値Ｖより低下した後に上昇に転じた時点、即ち、音声レベルが閾値Ｖ以下で最小になる時点Ｔｂ２からフェードアウトを開始する方法のどちらでもよい。
【００３３】
図５は、本実施例の動作フローチャートである。ユーザの記録開始指示を待機する（Ｓ１）。記録開始の指示があると（Ｓ１）、ファイル作成規約に従ったファイルネームＦ１でファイルを新規作成して、記録を開始する（Ｓ２）。記録中、記録ファイルサイズを、ファイルシステムの管理制限容量ＬＳ（ＧＢ）から所定容量ＴＳ（ＧＢ）を減算した値と比較する（Ｓ３）。記録ファイルサイズが小さければ（Ｓ３）、ステップＳ７に移行する。記録ファイルサイズがＬＳ−ＴＳ以上であれば（Ｓ３）、音声レベルを検出する（Ｓ４）。検出した音声レベルが音声閾値Ｖ（ｄＢ）以上であれば（Ｓ５）、ステップＳ７に移行する。
【００３４】
検出した音声レベルが音声閾値Ｖ（ｄＢ）より小さければ（Ｓ５）、ファイル分割処理を実行する（Ｓ６）。ファイル分割処理は、具体的には、音声フェードアウト期間Ｔｏｕｔの音声フェードアウト、ファイルＦ１のクローズと、次のファイルＦ２の新規オープン、及び、音声フェードイン期間Ｔｉｎの音声フェードインからなる。更に、付帯処理として、ファイルＦ１，Ｆ２が連続したファイルであることと、フェード期間、音声レベル及びファイル長などのファイル付帯情報が、管理ファイルに登録される。
【００３５】
ステップＳ７では、ユーザによる記録停止の指示があるかどうかを調べる。記録停止の指示があれば、記録動作を終了し、記録停止の指示がなければ、ステップＳ３に戻る。
【００３６】
このように記録媒体３４に記録された動画像の代表画像の表示動作を説明する。ＣＰＵ１８は、記録再生制御装置３２により記録媒体３４を管理するファイルシステムの情報を記録媒体３４から読み出す。読み出した情報から記録されているファイルを検索し、動画規格に準じたファイル群をリストする。管理ファイルからこのファイル群の付帯情報を読み込む。ファイル群のリストから、代表画像を抽出する動画ファイルを決定する。
【００３７】
ＣＰＵ１８は、決定した動画ファイルから代表画像の圧縮画像データを読み出して伸長し、小サイズにリサイズし、表示駆動装置３６により表示装置３８の指定位置に表示する。代表画像が５つある場合、この動作を５回繰り返す。表示例を図６に示す。図６では、表示装置３８は、ファイル１〜５の５つの代表画像を表示している。図６の６０はファイル２の代表画像とファイル３の代表画像を囲む枠６０は、ファイル２，３が関連ファイルであることを示す。関連ファイルかどうかは、管理ファイルからの情報で判断される。
【００３８】
図７は、関連ファイルに対して１つの代表画像を表示する表示例を示す。ファイル２とファイル３が関連ファイルになるので、ファイル２の代表画像のみを表示し、その周囲に枠６２を表示することいで、複数のファイルからなることを示している。図６に示す表示態様と、図７に示す表示態様とは、操作者が選択可能である。
【００３９】
図６又は図７に例示するようにして示される記録画像から所望の画像を指定して再生する動作を説明する。
【００４０】
操作者は、図６又は図７の画面上で、所望の画像を選択し、操作キー３０によりＣＰＵ１８に再生を指示する。図８は、５つのファイル１〜５の再生動作例を示す。ファイル１〜５を順に再生する場合で、パターンＡでは、操作者がファイル１を選択し再生開始を指示すると、ファイル１，２，３，４及び５が順に全て再生される。パターンＢでは、選択されたファイル１の再生後、再生を停止する。分割されたファイル２とファイル３に対し、操作者がファイル２を選択し、再生開始を指示すると、パターンＣでは、ファイル２，３，４及び５が順に全て再生される。パターンＤでは、ファイル２，３が順に再生されて、再生が停止する。パターンＥでは、ファイル２が再生された後、再生が停止する。
【００４１】
本実施例では、パターンＡ〜Ｅの何れも選択可能である。パターンＡ，Ｃ，Ｄの場合、ファイル制限による分割制御を行うことによって、結合点Ｋの前後でスムーズな再生が実現できる。図６に示す表示例でファイル２の再生を指示する場合、図８のパターンＣ、Ｄ又はＥが選択可能とし、図７に示す表示例で、ファイル２の再生を指示する場合、図８のパターンＣ，Ｄが選択可能とすることによって、操作性が向上する。
【００４２】
以上のように、本実施例では、ファイルシステムの最大管理容量の値に達する前の所定区間で、記録音声レベルが所定以下になった場合、ファイルを新規作成することによって、ファイルのつなぎ部での音声再生不連続の欠点を緩和できる。
【００４３】
音声レベルが所定以下になった場合に、音声フェードアウト又は音声フェードインを挿入することによって、ファイルのつなぎ部での音声再生不連続を更に改善できる。
【００４４】
所定期間内で音声レベルが所定値以下にならない場合、適切に音声フェードアウト又は音声フェードイン処理を挿入するよって、この条件が成就しない場合でも、音声再生不連続の欠点を改善できる。
【００４５】
一連のファイルの関連情報を、付加情報として、又は管理ファイルに記録し、代表画像の一覧表示の際に複数ファイルの関連性を同時に表示することによって、機器制限でファイル分割がされていることを、操作者が容易に判別できる。
【実施例２】
【００４６】
複数の記録媒体を使用する場合、単一の記録媒体の記録層が複数ある場合、又は、表と裏に記録層がある場合にも、本発明は、適用可能である。何れも、記録層の終端が、ファイルサイズの物理的限界を規定からである。
【００４７】
２層の記録媒体を例に説明する。ファイルシステムはＵＤＦであるとする。図９は、ファイル分割の模式図を示す。図９に示す模式図では、層ＡにＦ１が記録され、層ＢにＦ２が記録される。
【００４８】
層ＡでファイルＦ１に記録を開始する。層Ａの終了までに所定期間Ｔｗのタイミングで音声レベルの計測期間に入る。音声レベルが音声閾値を下回る時点Ｔｂ１から所定の音声フェードアウト期間Ｔｏｕｔで、音声のフェードアウトを実行し、ファイルＦ１をクローズすると共に、層Ｂに対してファイルＦ２を新規作成する。そして、ファイルＦ２に対して、所定のフェードイン期間Ｔｉｎで音声のフェードインを実行しつつ、ファイルＦ１からの記録を続行する。
【００４９】
ファイルＦ１，Ｆ２の記録先が異なる層であることを除いては、音声閾値、音声フェードアウト期間Ｔｏｕｔ及び音声フェードイン期間Ｔｉｎ等は、実施例１と同様である。
【００５０】
図１０は、本実施例の動作フローチャートである。ユーザの記録開始指示を待機する（Ｓ１１）。記録開始の指示があると（Ｓ１１）、ファイル作成規約に従ったファイルネームＦ１で層Ａにファイルを新規作成して、記録を開始する（Ｓ１２）。記録中、層切換えまでの容量ＳＢ（ＧＢ）と所定容量ＴＳ（ＧＢ）を比較し（Ｓ１３）、ＳＢ＞ＴＳならば、ステップＳ１７に移行する。ＳＢ≦ＴＳであれば（Ｓ１３）、音声レベルを検出する（Ｓ１４）。検出した音声レベルが音声閾値Ｖ（ｄＢ）以上であれば（Ｓ１５）、ステップＳ１７に移行する。
【００５１】
検出した音声レベルが音声閾値Ｖ（ｄＢ）より小さければ（Ｓ１５）、ファイル分割処理を実行する（Ｓ１６）。ファイル分割処理は、具体的には、音声フェードアウト期間Ｔｏｕｔの音声フェードアウト、ファイルＦ１のクローズと層Bでの次のファイルＦ２の新規オープン、及び、ファイルＦ１に対する音声フェードイン期間Ｔｉｎの音声フェードインからなる。更に、付帯処理として、ファイルＦ１，Ｆ２が連続したファイルであることと、フェード期間、音声レベル及びファイル長などのファイル付帯情報が、管理ファイルに登録される。
【００５２】
ステップＳ１７では、ユーザによる記録停止の指示があるかどうかを調べる。記録停止の指示があれば、記録動作を終了し、記録停止の指示がなければ、ステップＳ１３に戻る。
【００５３】
層Ａ，Ｂへの同時記録が不可能な場合には、層ＢのファイルＦ２への記録を保留（データを一時保存）し、層ＡのファイルＦ１のクローズ後に、記録先を層Ｂに切替え、保存しておいたデータ及び以後のデータを層Ｂのファイル２に記録すれば良い。このような処理自体は、周知である。
【００５４】
このように記録層をまたがる場合、各層のファイルを独立したファイルエントリで扱う方法と、各ファイルを仮想ファイルとして扱い、１つのファイルエントリと分割位置をファイルシステムに登録する方法のどちらを採用しても良い。
【００５５】
この実施例２の再生時の処理は、実施例１と同じである。
【００５６】
実施例２でも、記録層の物理的な限界に達する前の所定区間で、記録音声レベルが所定以下になった場合、ファイルを別の記録層に新規作成することによって、ファイルのつなぎ部での音声再生不連続の欠点を緩和できる。
【００５７】
音声レベルが所定以下になった場合に、音声フェードアウト又は音声フェードインを挿入することによって、ファイルのつなぎ部での音声再生不連続を更に改善できる。
【００５８】
所定期間内で音声レベルが所定値以下にならない場合、適切に音声フェードアウト又は音声フェードイン処理を挿入するよって、この条件が成就しない場合でも、音声再生不連続の欠点を改善できる。
【００５９】
一連のファイルの関連情報を、付加情報として、又は管理ファイルに記録し、代表画像の一覧表示の際に複数ファイルの関連性を同時に表示することによって、機器制限でファイル分割がされていることを、操作者が容易に判別できる。
【００６０】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００６１】
【図１】本発明の一実施例の概略構成ブロック図である。
【図２】本実施例の記録データストリームの模式図である。
【図３】本実施例のファイル分割の模式図である。
【図４】本実施例における音声検出の模式図である。
【図５】本実施例のファイル分割動作のフローチャートである。
【図６】本実施例の再生時の代表画面表示例である。
【図７】本実施例の再生時の別の代表画面表示例である。
【図８】本実施例の再生動作の模式図である。
【図９】本発明の実施例２のファイル生成の模式図である。
【図１０】本発明の実施例２のファイル分割動作のフローチャートである。
【符号の説明】
【００６２】
１０：撮像装置全体
１２：撮影レンズ
１４：撮像素子
１６：Ａ／Ｄ変換器
１８：ＣＰＵ
２０：メモリ
２２：モータ
２４：マイク
２６：マイクアンプ
２８：Ａ／Ｄ変換器
３０：操作キー
３２：記録再生制御装置
３４：記録媒体
３６：表示駆動装置
３８：表示装置
４０：スピーカ駆動装置
４２：スピーカ
４４：電源
【図１】
2008099125.tif 000003
【図２】
2008099125.tif 000004
【図３】
2008099125.tif 000005
【図４】
2008099125.tif 000006
【図５】
2008099125.tif 000007
【図６】
2008099125.tif 000008
【図７】
2008099125.tif 000009
【図８】
2008099125.tif 000010
【図９】
2008099125.tif 000011
【図１０】
2008099125.tif 000012